(57)【要約】【課題】非侵襲的でかつ、測定精度が高いグルコース濃度測定装置の提供を課題とする。【解決手段】光照射部１０と検出部２０と演算部３０と表示部４０と測定部５０とを備え、この測定部５０に、押し当てた指先Ｆの腹面が接する突起５１を設け、非侵襲的に測定する構成を採用した。【選択図】  図１
2004298547.tif 000002
【特許請求の範囲】
【請求項１】
近赤外光を生体内に照射する光照射部と、生体内で拡散あるいは透過した光を生体外部で検出する検出器と、該検出器により検出された受光信号に基づいて生体内のグルコース濃度を求める演算手段と、前記光照射部の光照射端及び前記検出器の受光端を有するとともに生体表面が押し当てられる測定部とを備え、
前記測定部に、押し当てた生体表面が接する突起または凹みの何れか一方もしくは両方が設けられている
ことを特徴とするグルコース濃度測定装置。
【請求項２】
近赤外光を生体内に照射する光照射部と、生体内で拡散あるいは透過した光を生体外部で検出する検出器と、該検出器により検出された受光信号に基づいて生体内のグルコース濃度を求める演算手段と、前記近赤外光及び光を通すとともに生体表面が押し当てられる測定部と、前記光照射部の光照射端及び前記検出器の受光端に対する生体表面の相対位置を確認する位置決め確認手段とを備え、
前記位置決め確認手段が、前記測定部に押し当てた生体表面を撮像するカメラと、該カメラで撮った映像を表示する表示部とを備えている
ことを特徴とするグルコース濃度測定装置。
【請求項３】
請求項２に記載のグルコース濃度測定装置において、
前記生体が指であり、
前記位置決め確認手段が、前記カメラで撮像する際に前記指の指紋形状も取得し、この指紋形状に基づいて個人の確認を行う
ことを特徴とするグルコース濃度測定装置。
【請求項４】
近赤外光を生体内に照射する光照射部と、生体内で拡散あるいは透過した光を生体外部で検出する検出器と、該検出器により検出された受光信号に基づいて生体内のグルコース濃度を求める演算手段と、前記近赤外光及び光を通すとともに生体表面が押し当てられる測定部と、該測定部に押し当てられた生体表面に対する前記光照射部の光照射端及び前記検出器の受光端の相対位置を位置決めする位置決め手段とを備え、
前記位置決め手段が、前記測定部に押し当てた生体表面を撮像するカメラと、該カメラで撮った映像を取り込み、前記光照射端及び前記受光端に対する生体表面の相対位置を求める相対位置測定部と、該相対位置測定部で求められた前記相対位置に基づいて前記光照射端及び前記受光端の位置補正を行う位置決め機構とを備えている
ことを特徴とするグルコース濃度測定装置。
【請求項５】
請求項４に記載のグルコース濃度測定装置において、
前記生体が指であり、
前記位置決め手段が、前記カメラで撮像する際に前記指の指紋情報も取得し、この指紋情報に基づいて個人の確認を行う
ことを特徴とするグルコース濃度測定装置。
【請求項６】
請求項１から請求項５の何れか１項に記載のグルコース濃度測定装置において、
前記測定部に押し当てた生体を覆い、赤外線を遮断してかつ可視光を通すカバーが備えられている
ことを特徴とするグルコース濃度測定装置。
【発明の詳細な説明】
【０００１】
【発明の属する技術分野】
本発明は、グルコース濃度測定装置に関するものである。
【０００２】
【従来の技術】
従来より、糖尿病の判断のために血中グルコース濃度測定が行われており、特に糖尿病患者のインシュリン投与量を決定する血糖値を検査するために、グルコース濃度の測定が行われている。グルコース濃度の測定は、一般に、指や腕から採取した血液を直接分析することで行われている。患者の体内における血液中のグルコース濃度は、食事の前後や運動後などの測定条件によって変化するため、正確な血糖値を得るためには、頻繁な測定が必要である。
しかしながら、採血した血液を直接分析する上記方法では、グルコース濃度の測定の度に注射針等を刺して採血しなければならず、患者にかかる負担が大きいという問題がある。
【０００３】
この問題を解決するために、指、腕、耳朶などの生体組織に対し、外部から近赤外光を照射して生体内で拡散させ、生体外に出射された光を検出する非侵襲的なグルコース濃度測定方法が提案されている（例えば下記特許文献１参照。）。この特許文献１の方法は、複数本の発光ファイバと複数本の受光ファイバとを束ねて構成した光ファイババンドルを用意し、この光ファイババンドルを構成する各光ファイバの先端面を生体表面に接触させた状態に配置する。そして、各発光ファイバの先端面から近赤外光を生体内に入射させ、さらには生体内で拡散されて生体表面から生体外に戻る光を各受光ファイバで受光するとともに、受光した光のスペクトルを分析することで、グルコース濃度を算出するものである。
【０００４】
【特許文献１】
特願２０００−１３１３２２号公報（図３等）
【０００５】
【発明が解決しようとする課題】
ところで、上記特許文献１の測定方法を実用化した場合、下記（１）〜（３）に記載の課題が生じて測定精度に悪影響を及ぼす虞がある。
（１）すなわち、上記特許文献１では、光照射端及び受光端を生体表面に当てて測定するものとしているが、その位置決め精度が不十分であると測定結果の再現性が損なわれてしまい、信頼に足る測定精度を確保できないという問題である。装置の取り扱いに慣れた者が常に測定を行うことで対処したとしても、人の感覚で位置決めを行う以上、満足できる再現性を維持できるとは必ずしも限らない。測定者が代われば尚更であり、再現性を保つことがさらに難しくなる。しかも、肝心の光照射端及び受光端は、測定時には生体表面に押し当てられて隠れてしまうため、それらの位置を視覚的に確認することもできない。したがって、装置を操作する者は、大凡の位置決めを行って測定するしか手立てがなかった。
（２）また、上述のように、測定時の受光端は隠れて見えないため、これと生体表面との間にわずかでも隙間が生じると、外部の赤外光が外乱として受光端に入り込み、Ｓ／Ｎ比が低くなる。
（３）また、上述したように、グルコース濃度の測定は頻繁に行われるものであるため、多数の被測定者を測定する場合、膨大な測定データが蓄積されることになる。このような膨大な測定データそれぞれが誰のものであるかを正確に管理しておく必要がある。このような管理がきちんとなされていなかったり、または個人データの入力ミスが生じたりすると、他人の測定データを誤って読みとってしまう虞があり、測定データを信頼することができない。
【０００６】
本発明は、上記事情に鑑みてなされたもので、非侵襲的でかつ、測定精度が高いグルコース濃度測定装置の提供を目的とする。
【０００７】
【課題を解決するための手段】
本発明は、上記課題を解決するために以下の手段を採用した。
すなわち、請求項１に記載のグルコース濃度測定装置は、近赤外光を生体内に照射する光照射部と、生体内で拡散あるいは透過した光を生体外部で検出する検出器と、該検出器により検出された受光信号に基づいて生体内のグルコース濃度を求める演算手段と、前記光照射部の光照射端及び前記検出器の受光端を有するとともに生体表面が押し当てられる測定部とを備え、前記測定部に、押し当てた生体表面が接する突起または凹みの何れか一方もしくは両方が設けられていることを特徴とする。
【０００８】
上記請求項１に記載のグルコース濃度測定装置によれば、測定のために生体表面を測定部に押し当てると、生体表面に突起または凹みが自然と接するため、これらの位置を触感として感じ取ることができる。したがって、生体表面上の常に測定を行う箇所を、前記突起または凹みに一致させるように生体側を動かして合わせることで、光照射端及び受光端を目視で確認することなく正確に位置決めすることができる。
【０００９】
請求項２に記載のグルコース濃度測定装置は、近赤外光を生体内に照射する光照射部と、生体内で拡散あるいは透過した光を生体外部で検出する検出器と、該検出器により検出された受光信号に基づいて生体内のグルコース濃度を求める演算手段と、前記近赤外光及び光を通すとともに生体表面が押し当てられる測定部と、前記光照射部の光照射端及び前記検出器の受光端に対する生体表面の相対位置を確認する位置決め確認手段とを備え、前記位置決め確認手段が、前記測定部に押し当てた生体表面を撮像するカメラと、該カメラで撮った映像を表示する表示部とを備えていることを特徴とする。
【００１０】
上記請求項２に記載のグルコース濃度測定装置によれば、測定部に押し当てた生体表面は、本来隠れて目視できないものであるが、カメラで撮像することによってこれを視覚的に捉えることができる。撮像された映像は表示部に表示されるので、その映像を見ながら生体側を動かして合わせることで、光照射端及び受光端を目視で確認することなく正確に位置決めすることができる。
【００１１】
請求項３に記載のグルコース濃度測定装置は、請求項２に記載のグルコース濃度測定装置において、前記生体が指であり、前記位置決め確認手段が、前記カメラで撮像する際に前記指の指紋形状も取得し、この指紋形状に基づいて個人の確認を行うことを特徴とする。
【００１２】
上記請求項３に記載のグルコース濃度測定装置によれば、グルコース濃度の測定結果に関連づけて同時に測定される指紋情報により、測定された個人を間違いなく特定することができる。
【００１３】
請求項４に記載のグルコース濃度測定装置は、近赤外光を生体内に照射する光照射部と、生体内で拡散あるいは透過した光を生体外部で検出する検出器と、該検出器により検出された受光信号に基づいて生体内のグルコース濃度を求める演算手段と、前記近赤外光及び光を通すとともに生体表面が押し当てられる測定部と、該測定部に押し当てられた生体表面に対する前記光照射部の光照射端及び前記検出器の受光端の相対位置を位置決めする位置決め手段とを備え、前記位置決め手段が、前記測定部に押し当てた生体表面を撮像するカメラと、該カメラで撮った映像を取り込み、前記光照射端及び前記受光端に対する生体表面の相対位置を求める相対位置測定部と、該相対位置測定部で求められた前記相対位置に基づいて前記光照射端及び前記受光端の位置補正を行う位置決め機構とを備えていることを特徴とする。
【００１４】
上記請求項４に記載のグルコース濃度測定装置及によれば、測定のために生体表面を測定部に押し当てた後、これをカメラで撮像して相対位置測定部に取り込むことで、測定部上における生体表面の位置が映像として取得される。さらにこの相対位置測定部では、この映像に基づいて光照射端及び受光端に対する生体表面の相対位置を求める。このようにして求められた相対位置に基づいて位置決め機構が光照射端及び受光端の位置決め動作を行うことで、これらを目視で確認することなく正確に位置決めすることができる。
【００１５】
請求項５に記載のグルコース濃度測定装置は、請求項４に記載のグルコース濃度測定装置において、前記生体が指であり、前記位置決め手段が、前記カメラで撮像する際に前記指の指紋情報も取得し、この指紋情報に基づいて個人の確認を行うことを特徴とする。
【００１６】
上記請求項５に記載のグルコース濃度測定装置によれば、グルコース濃度の測定結果に関連づけて同時に測定される指紋情報により、測定された個人を間違いなく特定することができる。
【００１７】
請求項６に記載のグルコース濃度測定装置は、請求項１から請求項５の何れか１項に記載のグルコース濃度測定装置において、前記測定部に押し当てた生体を覆い、赤外線を遮断してかつ可視光を通すカバーが備えられていることを特徴とする。
【００１８】
上記請求項６に記載のグルコース濃度測定装置によれば、カバーの外部から内部の測定部に向かう赤外線を確実に遮断することができる。また、カバーの外部から、その内部に挿入された生体の位置を目視確認することもできる。
【００１９】
【発明の実施の形態】
本発明のグルコース濃度測定装置の各実施形態についての説明を、図面を参照しながら以下に行うが、本発明がこれらに限定解釈されるものでないことは勿論である。まず、図１及び図２を用いて、本発明の第１実施形態についての説明を行う。
【００２０】
図１に示すように、本実施形態のグルコース濃度測定装置は、近赤外光を指先Ｆ内（生体内）に照射する光照射部１０と、指先Ｆ内で拡散した光を指先外部で検出する複数の検出部（検出器）２０と、これら検出部２０により検出された受光信号に基づいて指先Ｆ内のグルコース濃度を求める演算部（演算手段）３０と、この演算部３０で求められたグルコース濃度を表示する表示部４０と、光照射部１０の光照射端１０ａ及び各検出部２０の受光端２０ａを有するとともに指先Ｆの腹面（生体表面）が押し当てられる測定部５０とを備えて概略構成されている。
【００２１】
前記光照射部１０は、例えばハロゲンランプ等の光源１１と、該光源１１から発せられた光をコリメートするコリメートレンズ１２と、コリメートされた光を一定の偏光方向に偏光するポーラライザ１３と、入力された高周波の周波数に応じて、ポーラライザ１３で偏光された光を分光して特定波長の光（近赤外光）のみをさらに偏光して出射する音響光学可変波長フィルタ（ＡＯＴＦ：Ａｃｏｕｓｔ−Ｏｐｔｉｃ  Ｔｕｎａｂｌｅ  Ｆｉｌｔｅｒ）１４と、該音響光学可変波長フィルタ１４に高周波を供給して制御するフィルタ制御部１５と、音響光学可変波長フィルタ１４において偏光された特定波長の光のみを通過させるアナライザ１６と、該アナライザ１６を通過した光を集光させる集光レンズ１７と、この集光レンズ１７で集光された光が入射され、かつ前記光照射端１０ａを先端に持つ光ファイバ１８とを備えている。
【００２２】
光ファイバ１８は、例えば直径１ｍｍの円形横断面を有し、その光照射端１０ａが、前記測定部５０内の押し当て面５１と面一になるように配置されている。また、この光ファイバ１８の外周面には、光を遮光するマスクが形成されている。このマスクにより、光ファイバ１８の内部から外部に向かう光の漏れや、外部からの光が光ファイバ１８の内部に入り込むのを防ぐことが可能となっている。したがって、光ファイバ１８内を伝搬してきた光は、光照射端１０ａのみから出射されるようになっている。
【００２３】
前記フィルタ制御部１５は、音響光学可変波長フィルタ１４に対して特定周波数の高周波を供給するのと同期して、その周波数に応じて音響光学可変波長フィルタ１４から出射されている光の波長信号を前記演算部３０に供給するようになっている。また、このフィルタ制御部１５は、音響光学可変波長フィルタ１４に供給する高周波の周波数を順次変更してスキャンさせることが可能となっている。
【００２４】
前記各検出部２０は、前記受光端２０ａを先端面とする光ファイバ２１と、この光ファイバ２１に接続される受光素子２２と、この受光素子２２からの受光信号を受けて増幅させるアンプ２３とを備えている。このうち、アンプ２３は、各検出部２０が共用するものとなっている。
【００２５】
各光ファイバ２１の受光端２０ａは、前記光ファイバ１８の光照射端１０ａを中心として環状配置され、なおかつ、前記押し当て面５１と面一になるように配置されている。
また、これら光ファイバ２１の外周面には、光を遮光するマスクが形成されている。このマスクにより、光ファイバ２１の内部から外部に向かう光の漏れや、外部からの光が光ファイバ２１の内部に入り込むのを防ぐことが可能となっている。したがって、光ファイバ２１内に取り込まれる光は、受光端２０ａのみからとなっている。
【００２６】
前記演算部３０は、アンプ２３を介して各受光素子２２から得た各出力信号（受光信号）と、フィルタ制御部１５から得た各出力信号に対応する波長信号とから得られる出力信号のスペクトル分布に基づいて、特定波長領域、例えば波長１．５μｍ近傍の領域における出力信号値からグルコース濃度を演算するようになっている。
前記表示部４０はディスプレイであり、演算部３０で求められたグルコース濃度値を表示する。
【００２７】
前記測定部５０は、押し当てた指先Ｆの腹面（生体表面）が接する前記押し当て面５１を形成する突起５２と、この突起５２に押し当てた指先Ｆを覆うカバー５３とを備えている。
突起５２は、図２に示すように、押し当て面５１の周縁が角部となるように、その周囲面５４よりも隆起している。このような形状を採用することで、被測定者がその指先Ｆを押し当て面５１に押し当てたときに、前記角部を触感として確実に感じ取ることが可能となっている。
【００２８】
なお、本実施形態では、このような形状を有する突起５２を採用しているが、指先Ｆを押し当てた際に、被測定者が押し当て面５１の位置を触感で求められれば良く、その他の突起形状（例えば、平面視した場合に各受光端２０ａの周囲を覆う環状の突起など）を採用しても良い。さらに言うと、突起に限らず、例えば図３に示すような凹み５５を採用しても良い。この場合、凹み５５の底面が前記押し当て面５１となり、被測定者は、指先Ｆを押し当てた際に、凹み５５の周縁角部を触感により求めることで、指先Ｆの位置決めを行うことができる。凹み５５の深さ寸法ｈ２としては、確実な触感を得られるように所定深さ寸法以下にするのが好ましい。
【００２９】
前記カバー５３は、図１に示すように、一旦側が閉じて他端側が開口した半円筒形状をなしている。このカバー５３は、カバー５３周囲の赤外線Ｒがその内部に張り込むのを遮断することと、可視光を通すこととを両立させることが可能な材質を採用している。これにより、カバー５３の外部から内部の各受光端２０ａに向かう赤外線Ｒを確実に遮断することができる。また、被測定者は、カバー５３の外部から、内部に挿入した指先Ｆの位置を目視で確認することも可能となっている。
【００３０】
以上説明の構成を有する本実施形態のグルコース濃度測定装置の動作について以下に説明する。なお、以下の例では測定部位が指先である場合を例に説明するが、これに限らず、手の掌、前腕などでも良い。
まず、被測定者がその指先Ｆをカバー５３の開口部より入れ、指先Ｆの腹面を前記周囲面５４に滑らせながら奥深くまで挿入していく。すると、被測定者は、指先Ｆの腹面に前記突起５２の角部を感じ取ることにより、押し当て面５１の位置（すなわち、光照射端１０ａ及び各受光端２０ａの位置）を触感で求め、これに対する指先Ｆの腹面の位置決めを正確に行うことができる。
【００３１】
指先Ｆの位置決めが完了した状態で光源１１及び音響光学波長可変フィルタ１４を作動させ、光源１１から発せられた光より近赤外光を分光して光ファイバ１８に入射させる。光ファイバ１８に入射されて伝搬する近赤外光は、光ファイバ１８の光照射端１０ａから指先Ｆ内に入射される。
指先Ｆ内に入射した近赤外光は、その入射方向に沿って指先Ｆ内を進行する間に、生体組織に衝突して拡散される。この時、通過する生体組織や体液の成分に応じて特定波長の光が吸収される。したがって、指先Ｆ内で拡散された後、指先Ｆ外に戻ってくる光（図２の破線矢印参照。）は、通過した生体組織や体液に応じた特定波長領域の光量が低下している。そして、このようにして指先Ｆ外に出射された光を各受光端２０ａから各光ファイバ２１が取り込み、それぞれの受光素子２２で検出する。これら受光素子２２からの出力信号は、演算部３０に入力される。そして、演算部３０でグルコース濃度が算出され、その結果が表示部４０に表示される。
【００３２】
以上説明の本実施形態のグルコース濃度測定装置は、光照射部１０と検出部２０と演算部３０と表示部４０と測定部５０とを備え、この測定部５０に、押し当てた指先Ｆの腹面が接する突起５１を設け、非侵襲的に測定する構成を採用した。この構成によれば、光照射端１０ａ及び各受光端２０ａを目視で確認することなく正確に指先Ｆの位置決めすることができるので、高い測定精度を得ることが可能となる。これにより、高い再現性を確保することも可能となる。
【００３３】
続いて、本発明の第２実施形態についての説明を、図４を参照しながら以下に説明する。なお、以下の説明においては、上記第１実施形態と同一構成要素については同一符号を用いてその説明を省略する。
図４に示すように、本実施形態のグルコース濃度測定装置は、近赤外光を指先Ｆ内（生体内）に照射する光照射部１０と、指先Ｆ内で拡散した光を指先外部で検出する複数の検出部（検出器）２０と、これら検出部２０により検出された受光信号に基づいて指先Ｆ内のグルコース濃度を求める演算部（演算手段）３０と、この演算部３０で求められたグルコース濃度を表示する表示部４０と、前記近赤外光及び光を通すとともに指先Ｆの腹面が押し当てられる測定部６０と、光照射部１０の光照射端１０ａ及び各検出部２０の受光端２０ａに対する前記腹面の相対位置を確認する位置決め確認機構（位置決め確認手段）７０と、指先外部に出た光を後述の２方向に分岐させる光路分岐機構８０とを備えて概略構成されている。
【００３４】
前記位置決め確認手段７０は、前記測定部６０の押し当て面６１に押し当てた指先Ｆの腹面（生体表面）の指紋形状（指紋情報）を撮像するカメラ７１と、このカメラ７１で取得した指紋形状に基づいて被測定者が誰であるかを特定する判別機７２とを備えている。
判別機７２には、このグルコース濃度測定装置を使用する被測定者の個人名又は識別名と、指紋形状と、前回測定時における測定箇所（指紋形状を基準としてどの位置に光照射端１０ａ及び各受光端２０ａを当てたのかを示す位置情報）とが記録されている。さらに、この判別機７２は前記表示部４０に接続されており、特定された個人名または識別名と指紋形状と測定箇所とが、表示部４０に表示され、これを被測定者が目視確認できるようになっている。
【００３５】
前記測定部６０は、前記押し当て面６１と、この押し当て面６１に形成された貫通孔６２と、この貫通孔６２を塞いでゴミ等が装置内に侵入するのを防ぐガラス窓６３と、前記カバー５３とを備えている。
貫通孔６２の真下位置には、前記光路分岐機構８０を介在させた状態で、前記光照射端１０ａ及び前記各受光端２０ａが配置されている。
【００３６】
前記光路分岐機構８０は、前記貫通孔６２を通って装置内に入った光を前記カメラ７１に向かう方向と、前記各受光端２０ａに向かう方向とに分岐するハーフミラー８１と、このハーフミラー８１で反射された光をカメラ７１に向かって結像させるレンズ８２と、ハーフミラー８１を透過した光を前記各受光端２０ａが配置されている結像面に向かって結像させるレンズ８３とを備えている。
【００３７】
以上説明の構成を有する本実施形態のグルコース濃度測定装置の動作について以下に説明する。
まず、被測定者がその指先Ｆをカバー５３の開口部より入れ、指先Ｆの腹面を滑らせながら奥深くまで挿入していく。この時の指先Ｆの腹面の映像は、カメラ７１により撮像されて表示部４０に表示される。同時に、判別機７２が特定した個人名又は識別名も表示部４０に表示される。
被測定者は、この表示部４０に映し出された映像を見ながら自らの指先Ｆを微動させることで、その位置決めを行う。このときの位置決め操作は、表示部４０に前回測定時に位置決めした指紋情報を予め表示させておき、これに合致させるように被測定者が指先Ｆを合わせるようにしても良いし、または、表示部４０に、光照射端１０ａ及び各受光端２０ａに対応する位置を予め表示させ、これに合致させるように被測定者が指先Ｆを合わせるようにしても良い。このようにして、光照射端１０ａ及び受光端２０ａを直接的に目視確認することなく正確に位置決めすることができる。
【００３８】
指先Ｆの位置決めが完了した状態で光源１１及び音響光学波長可変フィルタ１４を作動させ、光源１１から発せられた光より近赤外光を分光して光ファイバ１８に入射させる。光ファイバ１８に入射されて伝搬する近赤外光は、光ファイバ１８の光照射端１０ａからレンズ８３及びハーフミラー８１、そして貫通孔６２を経て指先Ｆ内に入射される。
指先Ｆ内に入射した近赤外光は、その入射方向に沿って指先Ｆ内を進行する間に、生体組織に衝突して拡散される。このようにして拡散されて指先Ｆ外に出射された光は、貫通孔６２を経た後、ハーフミラー８１及びレンズ８３を透過してから各受光端２０ａに受光される。さらにこの光は各受光素子２２で検出され、これら受光素子２２からの出力信号が演算部３０に入力される。そして、演算部３０でグルコース濃度が算出され、その結果が表示部４０に表示される。
【００３９】
以上説明の本実施形態のグルコース濃度測定装置は、光照射部１０と検出部２０と演算部３０と表示部４０と測定部６０と、位置決め確認手段７０と、光路分岐機構８０とを備える構成を採用した。この構成によれば、光照射端１０ａ及び各受光端２０ａを目視で確認することなく正確に位置決めすることができるので、高い測定精度を得ることが可能となる。これにより、高い再現性も確保することが可能となる。
【００４０】
また、本実施形態のグルコース濃度測定装置は、位置決め機構７０が指紋情報の取得も行い、この指紋情報に基づいて個人の確認を行う構成を採用した。この構成によれば、グルコース濃度の測定結果に対して、個人識別情報である指紋情報を合わせ持たせることができるので、その測定結果の持ち主を間違いなく特定することができ、測定データの信頼性を確固たるものとすることが可能となる。
【００４１】
なお、上記第２実施形態では、光照射端１０ａ及び各受光端２０ａに対して指先Ｆ側を動かして位置決めするものとしたが、これに限らず、測定部６０に押し当てられた指先Ｆの腹面に対する光照射端１０ａ及び各受光端２０ａの相対位置を位置決めする位置決め手段（図示略）を備える構成も採用可能である。
前記位置決め手段としては、図示を省略するが、前記カメラ７１と、このカメラ７１で撮った映像を取り込み、光照射端１０ａ及び各受光端２０ａに対する指先Ｆの腹面の相対位置を求める相対位置測定部と、この相対位置測定部で求められた前記相対位置に基づいて前記位置補正を行う位置決め機構とを備えることが望ましい。
この場合においても、光照射端１０ａ及び各受光端２０ａを目視で確認することなく正確に位置決めすることができるので、高い測定精度と再現性を得ることが可能である。
【００４２】
【発明の効果】
本発明の請求項１に記載のグルコース濃度測定装置は、光照射部と検出器と演算手段と測定部とを備え、この測定部に、押し当てた生体表面が接する突起または凹みの何れか一方もしくは両方を設け、非侵襲的に測定する構成を採用した。この構成によれば、光照射端及び受光端を目視で確認することなく正確に位置決めすることができるので、高い測定精度を得ることが可能となる。
【００４３】
また、請求項２に記載のグルコース濃度測定装置は、光照射部と検出器と演算手段と測定部と位置決め確認手段とを備え、この位置決め確認手段が、測定部に押し当てた生体表面を撮像するカメラと、その映像を表示する表示部とを備える構成を採用した。この構成によれば、光照射端及び受光端を目視で確認することなく正確に位置決めすることができるので、高い測定精度を得ることが可能となる。
【００４４】
また、請求項３に記載のグルコース濃度測定装置は、前記位置決め手段が指紋情報の取得も行い、この指紋情報に基づいて個人の確認を行う構成を採用した。この構成によれば、グルコース濃度の測定結果に対して、個人識別情報である指紋情報を合わせ持たせることができるので、その測定結果の持ち主を間違いなく特定することができ、測定データの信頼性を確固たるものとすることが可能となる。
【００４５】
また、請求項４に記載のグルコース濃度測定装置は、光照射部と検出器と演算手段と測定部と位置決めする位置決め手段とを備え、この位置決め手段が、測定部に押し当てた生体表面を撮像するカメラと、光照射端及び受光端に対する生体表面の相対位置を求める相対位置測定部と、前記相対位置に基づいて光照射端及び受光端の位置補正を行う位置決め機構とを備え、非侵襲的に測定する構成を採用した。この構成によれば、光照射端及び受光端を目視で確認することなく正確に位置決めすることができるので、高い測定精度を得ることが可能となる。
【００４６】
また、請求項５に記載のグルコース濃度測定装置は、前記位置決め手段が指紋情報の取得も行い、この指紋情報に基づいて個人の確認を行う構成を採用した。この構成によれば、グルコース濃度の測定結果に対して、個人識別情報である指紋情報を合わせ持たせることができるので、その測定結果の持ち主を間違いなく特定することができ、測定データの信頼性を確固たるものとすることが可能となる。
【００４７】
また、請求項６に記載のグルコース濃度測定装置は、測定部に押し当てた生体を覆い、赤外線を遮断してかつ可視光を通すカバーをさらに備える構成を採用した。この構成によれば、生体位置の目視確認と、外乱となる外部赤外線の侵入阻止との両方を両立させることが可能となる。したがって、さらなる測定精度の向上を達成することが可能となる。
【図面の簡単な説明】
【図１】本発明のグルコース濃度測定装置の第１実施形態を示す装置構成図である。
【図２】同グルコース濃度測定装置の測定部の突起形状を示す部分拡大図である。
【図３】同グルコース濃度測定装置の測定部の変形例を示す図であって、凹み形状を示す部分拡大図である。
【図４】本発明のグルコース濃度測定装置の第２実施形態を示す装置構成図である。
【符号の説明】
１０・・・光照射部
１０ａ・・・光照射端
２０・・・検出器
２０ａ・・・受光端
３０・・・演算部（演算手段）
４０・・・表示部
５０，６０・・・測定部
５２・・・突起
５３・・・カバー
７０・・・位置決め確認手段
７１・・・カメラ
【図１】
2004298547.tif 000003
【図２】
2004298547.tif 000004
【図３】
2004298547.tif 000005
【図４】
2004298547.tif 000006